(57)【要約】【課題】輸送が容易で、しかも、材料コストがかからず、遮音性に優れる床下地材を備え得るようにする。【解決手段】建物１の床梁１８に床下地材２１，２２を支持させると共に、床下地材２１，２２の上面側に床面材２５を敷設してなる建物の床構造であって、床下地材２１を床梁１８の上部に対して順梁配置すると共に、一部の床下地材２２を床梁１８の下部に対して逆梁配置し、且つ、順梁配置された床下地材２１および逆梁配置された床下地材２２を、金属製の波板３３と、波板３３の上部に現地で打設されたコンクリートスラブ３４とを備えた湿式の合成材３５で構成するようにしている。【選択図】　　　　図３
2004036181.tif 000002
【特許請求の範囲】
【請求項１】
建物の床梁に床下地材を支持させると共に、該床下地材の上面側に床面材を敷設してなる建物の床構造において、前記床下地材を前記床梁の上部に対して順梁配置すると共に、一部の前記床下地材を前記床梁の下部に対して逆梁配置し、且つ、順梁配置された前記床下地材および逆梁配置された前記床下地材を、金属製の波板と、該波板の上部に現地で打設されたコンクリートスラブとを備えた湿式の合成材で構成したことを特徴とする建物の床構造。
【請求項２】
順梁配置された前記床下地材の厚みと、逆梁配置された前記床下地材の厚みとを、それぞれ任意に設定可能としたことを特徴とする請求項１記載の建物の床構造。
【請求項３】
建物の内部を居室ゾーンと設備ゾーンとに分け、前記居室ゾーンの前記床下地材を順梁配置とすると共に、前記設備ゾーンの前記床下地材を逆梁配置とし、逆梁配置された前記設備ゾーンの床下地材と床面材との間に配管スペースを形成したことを特徴とする請求項１または２記載の建物の床構造。
【請求項４】
建物のバルコニー部分の床梁に対し、前記床下地材を逆梁配置したことを特徴とする請求項１記載の建物の床構造。
【発明の詳細な説明】
【０００１】
【発明の属する技術分野】
この発明は、建物の床構造に関するものである。
【０００２】
【従来の技術】
建物の床構造として、建物の床梁に床下地材を支持させると共に、床下地材の上面側に床面材を敷設してなるものが存在している。
【０００３】
このような建物には、床下地材を床梁の上部に対して順梁配置すると共に、一部の床下地材を床梁の下部に対し逆梁配置して、逆梁配置した床下地材と床面材との間に配管スペースを確保したものなどが存在する。
【０００４】
このようなものとしては、従来、特公平８−６３７６号公報や特開平８−１０５１４５号公報などに開示されているようなものが知られている。
【０００５】
【発明が解決しようとする課題】
上記特公平８−６３７６号公報の床構造では、床下地材として、予め工場で製造されたＡＬＣ板などの乾式板を使用している。このため、遮音性に劣る場合があった。同様に、特開平８−１０５１４５号公報の床構造では、床下地材として、予め工場で製造されたＰＣ板、ＡＬＣ版、セメント系集成板などの乾式板を使用している。
【０００６】
このように、床下地材として乾式板を用いた場合、乾式板は、かさ張るので輸送にコストが掛るという問題があった。
【０００７】
また、順梁配置した床下地材と逆梁配置した床下地材とをそれぞれ厚みが異なるように構成する場合、複数種類の乾式板が必要になるという問題や、複数種類の乾式板を誤組付けするおそれが生じるという問題があった。
【０００８】
また、これらは天井板を梁の下方において、水平に配設していたので、天井高の低いものになっていた。
【０００９】
そこで、本発明の目的は、上記の問題点を解消し、輸送が容易で、しかも、材料コストがかからず、遮音性に優れる床下地材を備えた建物の床構造を提供することにある。
【００１０】
【課題を解決するための手段】
上記課題を解決するために、請求項１に記載された発明では、建物の床梁に床下地材を支持させると共に、該床下地材の上面側に床面材を敷設してなる建物の床構造において、前記床下地材を前記床梁の上部に対して順梁配置すると共に、一部の前記床下地材を前記床梁の下部に対して逆梁配置し、且つ、順梁配置された前記床下地材および逆梁配置された前記床下地材を、金属製の波板と、該波板の上部に現地で打設されたコンクリートスラブとを備えた湿式の合成材で構成した建物の床構造を特徴としている。
【００１１】
このように構成された請求項１にかかる発明によれば、順梁配置された前記床下地材および逆梁配置された前記床下地材を、金属製の波板と、該波板の上部に現地で打設されたコンクリートスラブとを備えた湿式の合成材で構成することにより、乾式の床下地材に比べて重量の大きなものになり、高い遮音性を得ることができる。また、金属製の波板の上部にコンクリートスラブを現地で打設した湿式の合成材を床下地材に使用するようにしているので、順梁配置された床下地材と逆梁配置された床下地材とを同じ材料で得ることができ、その分、材料コストを削減することができる。しかも、金属製の波板は、積み重ねてかさを小さくして搬送することができるので、乾式の床下地材に比べて輸送コストを低減することができる。
【００１２】
請求項２に記載された発明では、順梁配置された前記床下地材の厚みと、逆梁配置された前記床下地材の厚みとを、それぞれ任意に設定可能とした請求項１記載の建物の床構造を特徴としている。
【００１３】
このように構成された請求項２にかかる発明によれば、順梁配置された床下地材の厚みと、逆梁配置された床下地材の厚みとを、金属製の波板の上部に現地で打設するコンクリートスラブの量を調整することによって、それぞれ任意に設定することができるので、それぞれの場所にとって最適な遮音性を容易に得ることが可能となる。
【００１４】
請求項３に記載された発明では、建物の内部を居室ゾーンと設備ゾーンとに分け、前記居室ゾーンの床下地材を順梁配置とすると共に、前記設備ゾーンの前記床下地材を逆梁配置とし、逆梁配置された前記設備ゾーンの前記床下地材と床面材との間に配管スペースを形成した請求項１または２記載の建物の床構造を特徴としている。
【００１５】
このように構成された請求項３にかかる発明によれば、前記建物の内部を居室ゾーンと設備ゾーンとに分けて、居室ゾーンの床下地材を順梁配置として天井裏の無駄な空間を省くことにより、居室ゾーンに対して従来よりも大きな天井高を確保することができる。また、居室ゾーンの天井高を確保しつつ建物の高さを低く抑えて、建築コストを低減することも可能となる。更に、逆梁配置された前記設備ゾーンの床下地材と床面材との間に配管スペースを形成したことにより、配管スペースが居室ゾーンから切り離されることになるため、不快な排水音などが居室ゾーンへ侵入することを防止することができる。また、設備ゾーンの床下地材を逆梁配置とすることによって設備ゾーンの床下に自由な配管スペースを確保することができるため、プラン変更に対する対応性を向上することができる。
【００１６】
請求項４に記載された発明では、建物のバルコニー部分の床梁に対し、前記床下地材を逆梁配置した請求項１記載の建物の床構造を特徴としている。
【００１７】
このように構成された請求項４にかかる発明によれば、建物のバルコニー部分の床梁に対し、床下地材を逆梁配置したことにより、バルコニー部分の高さを容易に一段低い構造とすることができる。また、床下地材を逆梁配置することによって高さを一段低く構成されたバルコニー部分は跨ぎ易く出入りし易いものとすることができる。
【００１８】
【発明の実施の形態】
以下、本発明の具体的な実施の形態について、図示例と共に説明する。
【００１９】
図１〜図５は、この発明の実施の形態を示すものである。
【００２０】
まず、構成を説明すると、図１中、符号１は集合住宅などの建物を示している。この建物１は、例えば、３階建となっており、各階には複数の住戸２が連接されている。
【００２１】
各住戸２は、図２に示すように、共通の廊下３に面して玄関４が設けられ、玄関４と反対側には、窓５を介してバルコニー６が設けられている。
【００２２】
そして、各住戸２の内部は、窓５およびバルコニー６側の居室ゾーン７と、廊下３および玄関４側の設備ゾーン８とに分けられている。
【００２３】
このうち、設備ゾーン８には、風呂９、洗面１０、トイレ１１、厨房１２などが配置されている。
【００２４】
この建物１に対し、図３に示すように、床梁１８が、窓５およびバルコニー６部分の下部、玄関４部分の下部、並びに、居室ゾーン７と設備ゾーン８との境界部分に配設されている。また、各住戸２の境界部分にも床梁１８が直交配設されている。これらの床梁１８は、上フランジ１５と、下フランジ１６と、ウェブ１７とを備えた型鋼からなる。
【００２５】
これら床梁１８に対し、床下地材２１，２２を支持させると共に、床下地材２１，２２の上面側にパーチクルボードなどの床面材２５を敷設して床構造を構成する。
【００２６】
この際、居室ゾーン７の床下地材２１を、床梁１８の上フランジ１５の上部間に架設することにより順梁配置とする。
【００２７】
また、設備ゾーン８の床下地材２２を、床梁１８の下フランジ１６の上部間に架設することにより逆梁配置とする。
【００２８】
そして、逆梁配置された設備ゾーン８の床下地材２２と床面材２５との間に配管スペース３１を形成し、この配管スペース３１に排水管などの各種の配管３２を配設する。
【００２９】
加えて、建物１のバルコニー６部分の床梁１８に対しても、床下地材２２を逆梁配置とする。
【００３０】
この実施の形態では、順梁配置された床下地材２１および逆梁配置された床下地材２２を、共に、金属製の波板３３と、波板３３の上部に現地で打設されたコンクリートスラブ３４とを備えた湿式の合成材３５で構成する。
【００３１】
この際、順梁配置された床下地材２１の厚みａと、逆梁配置された床下地材２２の厚みｂ，ｃとを、それぞれ任意に設定可能とする。
【００３２】
なお、図３では、居室ゾーン７における床下地材２１と床面材２５との間にはスタイロフォームなどのクッション材４１が介装されている。
【００３３】
また、設備ゾーン８における床面材２５は、脚４２を介して床下地材２２に支持されている。脚４２の下部には防振ゴムの足が設けられている。
【００３４】
更に、バルコニー６部分における床下地材２２は、被覆材４３によって被覆されている。
【００３５】
なお、図３中、符号４４は天井板である。天井板４４は、居室ゾーン７では、床梁１８の上部近傍の高い位置に配設されて、天井を高くしている。
【００３６】
次に、この実施の形態の作用について説明する。
【００３７】
この実施の形態では、床梁１８に金属製の波板３３を敷設し、波板３３の上部に現地でコンクリートスラブ３４を打設することにより、湿式の合成材３５よりなる床下地材２１，２２を構成する。
【００３８】
この際、居室ゾーン７に対しては、床下地材２１を床梁１８の上フランジ１５の上部間に順梁配置し、設備ゾーン８およびバルコニー６部分に対しては、床下地材２２を床梁１８の下フランジ１６の上部間に逆梁配置するようにする。
【００３９】
このように、順梁配置された床下地材２１および逆梁配置された床下地材２２を、金属製の波板３３と、波板３３の上部に現地で打設されたコンクリートスラブ３４とを備えた湿式の合成材３５で構成することにより、乾式の床下地材２１，２２に比べて重量が大きくなり、高い遮音性を得ることができる。
【００４０】
また、金属製の波板３３の上部にコンクリートスラブ３４を現地で打設した湿式の合成材３５を床下地材２１，２２に使用するようにしているので、順梁配置された床下地材２１と逆梁配置された床下地材２２とを同じ材料で得ることができ、その分、材料コストを削減することができる。
【００４１】
しかも、金属製の波板３３は、積み重ねてかさを小さくして搬送することができるので、乾式の床下地材２１，２２に比べて輸送コストを低減することができる。
【００４２】
そして、順梁配置された床下地材２１の厚みと、逆梁配置された床下地材２２の厚みとを、金属製の波板３３の上部に現地で打設するコンクリートスラブ３４の量を調整することによって、それぞれ任意に設定することができるので、それぞれの場所にとって最適な遮音性を容易に得ることが可能となる。
【００４３】
更に、建物１の内部を居室ゾーン７と設備ゾーン８とに分けて、居室ゾーン７の床下地材２１を順梁配置として天井裏の無駄な空間を省くことにより、居室ゾーン７に対して従来よりも大きな天井高ｄを確保することができる（設備ゾーン８の天井高ｅ＝従来の天井高、ｄ＞ｅ）。なお、居室ゾーン７を従来の天井高にすることは、勿論可能である。
【００４４】
また、居室ゾーン７を従来よりも高い天井高ｄに確保しつつ、図４（ａ）（ｂ）に示すように、建物１の高さを低く抑えて（図４（ｂ）参照）、斜線制限に対応したり、建築コストを低減することも可能となる。なお、建物１を従来の高さ（図４（ａ）参照）にすることは、勿論可能である。
【００４５】
更に、逆梁配置された設備ゾーン８の床下地材２２と床面材２５との間に配管スペース３１を形成したことにより、配管スペース３１が居室ゾーン７から切り離されることになるため、不快な排水音などが居室ゾーン７へ侵入することを防止することができる。
【００４６】
また、設備ゾーン８の床下地材２２を逆梁配置とすることによって設備ゾーン８の床下に自由な配管スペース３１を確保することができるため、図２に示すような２つの１Ｋの住戸２を合わせて、図５に示すような１つの１ＬＤＫの住戸２にするなど、プラン変更に対する対応性を向上することができる。
【００４７】
加えて、建物１のバルコニー６部分の床梁１８に対し、床下地材２２を逆梁配置したことにより、バルコニー６部分の高さを容易に一段低い構造とすることができる。また、床下地材２２を逆梁配置することによって高さを一段低く構成されたバルコニー６部分は跨ぎ易く出入りし易いものとすることができる。
【００４８】
図の実施の形態では、廊下３を別構成としたが、廊下３もバルコニー６と同様の構造にしてもよい。そうすると玄関４のステップの形成などが容易となる。
【００４９】
【発明の効果】
以上説明してきたように、請求項１の発明によれば、順梁配置された床下地材および逆梁配置された床下地材を、金属製の波板と、波板の上部に現地で打設されたコンクリートスラブとを備えた湿式の合成材で構成することにより、乾式の床下地材に比べて高い遮音性を得ることができる。また、金属製の波板の上部にコンクリートスラブを現地で打設した湿式の合成材を床下地材に使用するようにしているので、順梁配置された床下地材と逆梁配置された床下地材とを同じ材料で得ることができ、その分、材料コストを削減することができる。しかも、金属製の波板は、積み重ねてかさを小さくして搬送することができるので、乾式の床下地材に比べて輸送コストを低減することができる。
【００５０】
請求項２の発明によれば、順梁配置された床下地材の厚みと、逆梁配置された床下地材の厚みとを、金属製の波板の上部に現地で打設するコンクリートスラブの量を調整することによって、それぞれ任意に設定することができるので、それぞれの場所にとって最適な遮音性を容易に得ることが可能となる。
【００５１】
請求項３の発明によれば、建物の内部を居室ゾーンと設備ゾーンとに分けて、居室ゾーンの床下地材を順梁配置として天井裏の無駄な空間を省くことにより、居室ゾーンに対して従来よりも大きな天井高を確保することができる。また、居室ゾーンの天井高を確保しつつ建物の高さを低く抑えて、斜線制限に対応したり、建築コストを低減することも可能となる。更に、逆梁配置された設備ゾーンの床下地材と床面材との間に配管スペースを形成したことにより、配管スペースが居室ゾーンから切り離されることになるため、不快な排水音などが居室ゾーンへ侵入することを防止することができる。また、設備ゾーンの床下地材を逆梁配置とすることによって設備ゾーンの床下に自由な配管スペースを確保することができるため、プラン変更に対する対応性を向上することができる。
【００５２】
請求項４の発明によれば、建物のバルコニー部分の床梁に対し、床下地材を逆梁配置したことにより、バルコニー部分の高さを容易に一段低い構造とすることができる。また、床下地材を逆梁配置することによって高さを一段低く構成されたバルコニー部分は跨ぎ易く出入りし易いものとすることができる、という実用上有益な効果を発揮し得る。
【図面の簡単な説明】
【図１】本発明の実施の形態にかかる建物の外観図である。
【図２】図１の建物の部分拡大横断面図である。
【図３】図２の住戸の縦断面図である。
【図４】（ａ）（ｂ）は、本発明により建物の高さを低く抑えた状態を示す説明図である。
【図５】プラン変更状態を示す説明図である。
【符号の説明】
１　　建物
６　　バルコニー
７　　居室ゾーン
８　　設備ゾーン
１８　床梁
２１　床下地材
２２　床下地材
２５　床面材
３１　配管スペース
３３　波板
３４　コンクリートスラブ
３５　合成材
【図１】
2004036181.tif 000003
【図２】
2004036181.tif 000004
【図３】
2004036181.tif 000005
【図４】
2004036181.tif 000006
【図５】
2004036181.tif 000007